(57)【要約】【課題】変更できるキー表示と、キー表示よりも変更頻度の高い表示との両方を、消費電力を抑えつつ、行なうキー入力装置を提供する。【解決手段】携帯電話機１００は、ＣＰＵ１０２と、ＲＡＭ１０４と、ＲＯＭ１０６と、ＬＣＤ１０８と、ＬＣＤコントローラ１０９と、駆動ドライバ１１０と、電子ペーパー１１２と、タッチパネルＩ／Ｆ１１４と、タッチパネル１１６と、入力キー１１８と、入力Ｉ／Ｆ１２０と、通信Ｉ／Ｆ１２１と、アンテナ１２２とを備える。電子ペーパー１１２は、キー表示を行なう。ＬＣＤ１０８は、キー表示よりも変更頻度の高い表示を行なう。【選択図】図１
2009098795.tif 000002
【特許請求の範囲】
【請求項１】
キー入力装置であって、
表示装置と、
前記キー入力装置の動作を制御する制御手段と、
外部からの指示を受付ける入力手段とを備え、
前記入力手段は、
押されたことを検出する検出手段と、
前記検出手段に対応する位置に設置されており、電気的信号に応じて表示を変更し、変更後の表示を電力の供給なしに保持できるキー表示手段とを含み、
前記制御手段は、
前記キー表示手段に、対応する位置にある前記検出手段が押された際に前記キー入力装置が行なうべき処理を識別するためのキー表示を表示させる書換手段と、
前記指示に応じて、前記表示装置の表示を変更する表示制御手段とを含む、キー入力装置。
【請求項２】
前記キー入力装置の動作に必要な情報を記憶する記憶手段をさらに備え、
前記記憶手段は、前記キー入力装置の複数の操作モードと、各前記操作モードにおいて前記検出手段が押された際に前記キー入力装置が行なうべき処理に応じて定められたキー表示情報とを関連付けて記憶し、
前記制御手段は、前記複数の操作モードを切り替える切替手段をさらに含み、
前記書換手段は、前記切替手段による前記操作モードの切替えに応じて、切替え後の操作モードに関連付けられた前記キー表示情報を前記記憶手段から読み出し、前記キー表示手段に前記読み出されたキー表示情報に基づいたキー表示をさせる、請求項１に記載のキー入力装置。
【請求項３】
前記切替手段は、前記指示に応じて前記操作モードを切替える、請求項２に記載のキー入力装置。
【請求項４】
前記キー表示手段は、電子ペーパーである、請求項１から３のいずれか１項に記載のキー入力装置。
【請求項５】
前記検出手段はタッチパネルであり、
前記キー表示手段は、前記タッチパネルに覆われた位置に設置されている、請求項１から３のいずれか１項に記載のキー入力装置。
【請求項６】
前記検出手段はタッチパネルであり、
前記表示装置は、液晶パネルとバックパネルとからなり、
前記キー表示手段は、前記タッチパネルと前記バックパネルとの間にある、請求項１から３のいずれか１項に記載のキー入力装置。
【請求項７】
携帯情報機器であって、
液晶パネルとバックパネルとからなる表示手段と、
前記携帯情報機器の動作を制御する制御手段と、
外部からの指示を受付ける入力手段とを備え、
前記入力手段は、
押されたことを検出するタッチパネルと、
前記タッチパネルと前記バックパネルの間に設置されており、電気的信号に応じて表示を変更し、変更後の表示を電力の供給なしに保持できる電子ペーパーとを含み、
前記携帯情報機器の動作に必要な情報を記憶する記憶手段をさらに備え、
前記記憶手段は、前記キー入力装置の複数の操作モードと、各前記操作モードにおいて前記検出手段が押された際に前記キー入力装置が行なうべき処理に応じて定められたキー表示情報とを関連付けて記憶し、
前記複数の操作モードを切り替える切替手段をさらに備え、
前記制御手段は、
前記キー表示手段に、前記切替手段による前記操作モードの切替えに応じて、切替え後の操作モードに関連付けられた前記キー表示情報を前記記憶手段から読み出し、前記キー表示手段に前記読み出されたキー表示情報に基づいたキー表示をさせる書換手段と、
前記指示に応じて、前記表示手段の表示を変更する表示制御手段とを含む、携帯情報機器。
【発明の詳細な説明】
【技術分野】
【０００１】
本発明は、キー入力装置および携帯情報機器に関し、より具体的には、電気的信号により表示を変更し、変更後の表示を電力の供給なしに保持できるキー表示手段を有するキー入力装置および携帯情報機器に関する。
【背景技術】
【０００２】
従来、キー入力装置において、キー上の文字または記号の表示（以下、キー表示とよぶ）を電子ペーパーで行なうことが考えられている。電子ペーパーは、薄く、曲げることができるなど、紙に似た性質を持ちつつ、その表示内容を電気的に書き換えられるものである。さらに、その表示は、電力の供給なしでも保たれる。
【０００３】
例えば、特開２００５−３５２９８７号公報（特許文献１）には、電子ペーパーでキー表示を行なうキー入力装置が開示されている。このキー入力装置の構成は、電子ペーパーの上に透明なキーシートを配置するというものである。また、特開２００４−１４５６４８号公報（特許文献２）には、キーボードのキーが配置された表面全体を電子ペーパーで覆ったキー入力装置が開示されている。
【０００４】
これらの公報に記載の発明のキー入力装置におけるキー入力部は、物理キー、すなわち、キーを押下するとスイッチ部との通電が起こり、キー入力が認識されるというものであるが、キー入力部として、タッチパネルを用いた機器もよく知られている。
【０００５】
特開２００１−０２２５０８号公報（特許文献３）には、書換え指示ボタンの操作によってフルカラー液晶表示パネル（電子ペーパーの一種）と透明のタッチパネルとからなる操作パネルのレイアウトが変更されるリモコンが開示されている。また、電子ペーパーを用いたものではないが、特開平１１−３１２０５４号公報（特許文献４）には、タッチパネル上に、固定表示シートと、液晶パネルとを設置したタッチパネル装置が開示されている。
【０００６】
また、液晶パネルと電気泳動パネル（電子ペーパーの一種）を併用することが、特開２００７−１５６２５６号公報（特許文献５）に記載されている。この公報に記載の電気光学装置は、電気泳動パネルと、電気泳動パネルの上面側に配置された液晶パネルとを備え、互いを切替えて表示する。
【特許文献１】特開２００５−３５２９８７号公報
【特許文献２】特開２００４−１４５６４８号公報
【特許文献３】特開２００１−０２２５０８号公報
【特許文献４】特開平１１−３１２０５４号公報
【特許文献５】特開２００７−１５６２５６号公報
【発明の開示】
【発明が解決しようとする課題】
【０００７】
電子ペーパーは表示の書き換えに時間がかかるため、電子ペーパーのみを用いる特開２００５−３５２９８７号公報、特開２００４−１４５６４８号公報、特開２００１−０２２５０８号公報に記載の発明は、キー表示など変更の少ない表示を行なうことはできても、動画などの変化が多い表示を行なうのには不向きである。
【０００８】
一方、液晶パネルは、動画の表示はできるが、消費電力が電子ペーパーよりも大きいという欠点がある。
【０００９】
特開平１１−３１２０５４号公報に記載のタッチパネル装置は、操作領域を、可変表示領域と、固定表示領域とにより形成することで、消費電力の削減などを図っているものの、固定表示領域のキー表示は変更できない。固定表示領域には、操作キーが描かれた固定表示シートが設置、あるいはタッチパネルにキー表示が印刷されているからである。
【００１０】
また、特開２００７−１５６２５６号公報に記載の発明は、電気泳動パネルか液晶パネルかのいずれかに画像を表示させることで、消費電力の削減を図っているが、キー表示を行なうことを目的としていない。
【００１１】
本発明は、上述のような問題を解決するためになされたものであって、変更できるキー表示と、キー表示よりも変更頻度の高い表示との両方を、消費電力を抑えつつ、行なうキー入力装置を提供することを課題とする。
【課題を解決するための手段】
【００１２】
第１の局面に係る本願発明は、キー入力装置であって、表示装置と、キー入力装置の動作を制御する制御手段と、外部からの指示を受付ける入力手段とを備え、入力手段は、押されたことを検出する検出手段と、検出手段に対応する位置に設置されており、電気的信号に応じて表示を変更し、変更後の表示を電力の供給なしに保持できるキー表示手段とを含み、制御手段は、キー表示手段に、対応する位置にある検出手段が押された際にキー入力装置が行なうべき処理を識別するためのキー表示を表示させる書換手段と、指示に応じて、表示装置の表示を変更する表示制御手段とを含む。
【００１３】
好ましくは、キー入力装置の動作に必要な情報を記憶する記憶手段をさらに備え、記憶手段は、キー入力装置の複数の操作モードと、各操作モードにおいて検出手段が押された際にキー入力装置が行なうべき処理に応じて定められたキー表示情報とを関連付けて記憶し、制御手段は、複数の操作モードを切り替える切替手段をさらに含み、書換手段は、切替手段による操作モードの切替えに応じて、切替え後の操作モードに関連付けられたキー表示情報を記憶手段から読み出し、キー表示手段に読み出されたキー表示情報に基づいたキー表示をさせる。
【００１４】
さらに好ましくは、切替手段は、指示に応じて操作モードを切替える。
好ましくは、キー表示手段は、電子ペーパーである。
【００１５】
好ましくは、検出手段はタッチパネルであり、キー表示手段は、タッチパネルに覆われた位置に設置されている。
【００１６】
好ましくは、検出手段はタッチパネルであり、表示装置は、液晶パネルとバックパネルとからなり、キー表示手段は、タッチパネルとバックパネルとの間にある。
【００１７】
他の局面に係る本願発明は、携帯情報機器であって、液晶パネルとバックパネルとからなる表示手段と、携帯情報機器の動作を制御する制御手段と、外部からの指示を受付ける入力手段とを備え、入力手段は、押されたことを検出するタッチパネルと、タッチパネルとバックパネルの間に設置されており、電気的信号に応じて表示を変更し、変更後の表示を電力の供給なしに保持できる電子ペーパーとを含み、携帯情報機器の動作に必要な情報を記憶する記憶手段をさらに備え、記憶手段は、キー入力装置の複数の操作モードと、各操作モードにおいて検出手段が押された際にキー入力装置が行なうべき処理に応じて定められたキー表示情報とを関連付けて記憶し、複数の操作モードを切り替える切替手段をさらに備え、制御手段は、キー表示手段に、切替手段による操作モードの切替えに応じて、切替え後の操作モードに関連付けられたキー表示情報を記憶手段から読み出し、キー表示手段に読み出されたキー表示情報に基づいたキー表示をさせる書換手段と、指示に応じて、表示手段の表示を変更する表示制御手段とを含む。
【発明の効果】
【００１８】
本発明によれば、表示を電力の供給なしに保持できるキー表示手段により、キー表示を行うとともに、表示手段により、入力手段が受け付けた指示に応じて変化する表示を行うことができる。従って、変更できるキー表示と、キー表示よりも変更頻度の高い表示との両方を効率的に行なうことができる。
【発明を実施するための最良の形態】
【００１９】
以下、図面を参照しつつ、本発明の実施の形態について説明する。以下の説明では、同一の部分には同一の符号を付してある。それらの名称および機能も同じである。したがってそれらについての詳細な説明は繰り返さない。
【００２０】
（１．第１の実施の形態）
図１は、本発明の第１の実施の形態に係る携帯電話機１００の構成をブロック図形式で示す図である。以下、図１を参照して、第１の実施の形態に係る携帯電話機１００の構成について説明する。なお、本実施の形態では、携帯電話機１００を用いて説明するが、本発明はＰＤＡ（Personal Data Assistant）やハンディターミナル等の他の携帯情報端末にも適用できる。また、より一般には、キー入力装置、すなわち、キー入力部を有する装置に応用できる。
【００２１】
携帯電話機１００は、ＣＰＵ（Central Processing Unit）１０２と、ＲＡＭ（Random Access Memory）１０４と、ＲＯＭ（Read Only Memory）１０６と、ＬＣＤ（液晶ディスプレイ、Liquid Crystal Display）１０８と、ＬＣＤコントローラ１０９と、駆動ドライバ１１０と、電子ペーパー１１２と、タッチパネルインターフェース（以下、Ｉ／Ｆと書く）１１４と、タッチパネル１１６と、入力キー１１８と、入力Ｉ／Ｆ１２０と、通信Ｉ／Ｆ１２１と、アンテナ１２２とを備える。また、、ＣＰＵ１０２と、ＲＡＭ１０４と、ＲＯＭ１０６と、ＬＣＤコントローラ１０９と、駆動ドライバ１１０と、タッチパネルＩ／Ｆ１１４と、入力Ｉ／Ｆ１２０と、通信Ｉ／Ｆ１２１とはバス１２４で相互に接続されている。
【００２２】
入力キー１１８、タッチパネル１１６は、外部からの指示を受付ける入力手段として機能する。入力キー１１８は、ボタンを押すことで通電が起こり信号が出力されるもの（物理キー）である。指示入力Ｉ／Ｆ１２０は、入力キー１１８が受付けた指示を受け取り、信号として出力する。タッチパネル１１６は、利用者等がタッチパネル１１６上のどの位置に触れたかを検出し、その検出結果を指示として受付けるものである。タッチパネルＩ／Ｆ１１４は、タッチパネル１１６が受付けた指示を受け取り、信号として出力する。
【００２３】
ＣＰＵ１０２は、携帯電話器１００の各部の動作を制御するものである。ＲＡＭ１０４は、一時記憶用のメモリである。ＲＯＭ１０６は、ＣＰＵ１０２の動作のためのプログラム等携帯情報機器１００の動作に必要な情報を格納する。
【００２４】
ＣＰＵ１０２は、入力Ｉ／Ｆ１２０あるいはタッチパネルＩ／Ｆ１１４からの信号に応じて、ＲＯＭ１０６に格納されたプログラムをＲＡＭ１０４に読み出し、プログラムを実行することで各部の動作を制御する。
【００２５】
また、ＬＣＤ１０８は、液晶素子を用いた表示装置である。本実施例では、液晶パネルと、液晶パネルに表示光を照射するバックパネルとからなるＬＣＤ１０８を用いることとするが、他の構成であってもよい。ＬＣＤコントローラ１０９は、ＣＰＵ１０２からの指示に応じて、ＬＣＤ１０８の表示の変更を行なう。ＬＣＤ１０８、ＬＣＤコントローラ１０９の構成は、周知のものを適用すればよい。なお、表示装置としては、他のものを用いてもよい。ただし、動画の表示など変化の多い表示を行なうことができるものであることが望ましい。
【００２６】
電子ペーパー１１２は、後述もするが、タッチパネル１１６と対応する位置に設置されており、キー表示手段として機能する。電子ペーパー１１２としては、周知のもの、例えば、特許文献１に記載の電気泳動系マイクロカプセルタイプのものや、電気泳動系白黒回転粒子タイプのものを用いることができる。あるいは、電子ペーパー１１２は、コレステリック液晶を用いたカラー表示ができるものであってもよい。なお、電子ペーパー１１２のように薄くなくても、電気的信号に応じて表示を変更し、変更後の表示を電力の供給なしに保持できるものであれば、電子ペーパーの代わりに用いることができる。
【００２７】
駆動ドライバ１１０は、電圧の印加等の電気的信号を電子ペーパー１１２に与えることにより、電子ペーパー１１２の表示を書き換えるものである。
【００２８】
アンテナ１２２は、携帯電話器１００と外部との通信を行なう。通信Ｉ／Ｆ１２１は、アンテナ１２２の動作の制御を行なう。例えば、情報の送受信の制御を行なう。
【００２９】
ここで、電子ペーパー１１２の表示の書換えについて図２を用いて詳しく説明する。図２は、電子ペーパーの表示の書換えに関わる携帯電話機１００の機能ブロック図である。
【００３０】
図２中の入力部２１０は、外部からの指示を受付ける。タッチパネル１１６、入力キー１１８が入力部２１０として機能する。入力受付部２２０は、入力部２１０が受付けた指示を受け取り、信号として出力する。タッチパネルＩ／Ｆ１１４および入力Ｉ／Ｆ１２０が入力受付部２２０として機能する。
【００３１】
書換部２３０は、外部からの信号に応じて、表示の書き換えのための制御信号を電子ペーパー１１２に出力する。ここで、制御信号は、電圧などの電気的信号である。ＣＰＵ１０８、駆動ドライブ１１０が、書換部２３０として機能する。
【００３２】
記憶部２４０は、電子ペーパーの表示の書き換えに必要な情報を格納する。具体的には、記憶部２４０は、複数の操作モードを識別する操作モードＩＤ２４１と、操作モードＩＤ２４１に関連付けられた、従って操作モードに関連付けられた機能設定データ２４２とキー表示情報２４４とを格納している。機能設定データ２４２は、各操作モードにおいて、入力部２１０が入力を受付けた際に、ＣＰＵ１０２が各部にどのような指示を行なうかについて表すデータである。また、キー表示情報２４４は、各操作モードにおいて電子ペーパー２４４が行なうキー表示についての情報である。ここで、キー表示情報は、タッチパネル１１６が押された際に携帯電話器１００の各部がＣＰＵ１０２の指示に応じて行なうべき処理に応じて定められる。
【００３３】
以下、携帯電話器１００が、操作モードの変更の指示を、表示書換の指示として扱う場合の説明を行なう。
【００３４】
まず、入力部２１０が、操作モードの変更の指示を受付けると、入力受付部２２０は、操作モード変更のための信号を出力する。つまり、入力部２１０が操作モードの変更の指示を受け付けることにより、すなわち、タッチパネル１１６、入力キー１１８が入力を受付けることにより、操作モードの変更の信号が出力される。
【００３５】
書換部２３０として機能するＣＰＵ１０８は、入力受付部２２０が出力した操作モード変更の信号を受信し、記憶部２４０から信号に対応する操作モードＩＤ２４１に関連付けられた機能設定データ２４２を読み出し、読み出した機能設定データ２４２に基づき、入力部２１０が入力を受付けた際に、ＣＰＵ１０２が各部に行なう指示の設定を変更する。また、ＣＰＵ２３０は、記憶部２４０から信号に対応する操作モードに関連付けられたキー表示情報２４４を読み出し、読み出したキー表示情報２４４を駆動ドライバ１１０に送る。駆動ドライバ１１０は、送られたキー表示情報２４４に基づき、制御信号を作成し、作成した制御信号を電子ペーパー１１２に送る。電子ペーパー１１２の表示は、制御信号に応じて切替えられる。
【００３６】
なお、上の説明における操作モードの変更の信号は、入力部２１０への指示に応じて派生するものに限られず、他のきっかけにより発生するものであってもよい。例えば、電話の着信を信号として扱ったり、入力部２１０が、予め設定された時間、外部からの指示を検出しなかった時に、信号を出力するような構成であってもよい。
【００３７】
次に、本実施の形態に係る携帯電話機１００におけるＬＣＤ１０８、電子ペーパー１１２、タッチパネル１１６の位置関係について図３から図５を用いて説明する。
【００３８】
図３は、本発明に係る携帯電話機１００の外観図である。携帯電話機１００の前面には、ディスプレイ３００、入力キー１１８が設置されている。また、携帯電話機１００は、アンテナ１２２を備える。ただし、これは一例であって、携帯電話機１００の外観はこれに限られない。例えば、折畳式などであっても構わない。
【００３９】
ディスプレイ３００は、ＬＣＤ１０８、電子ペーパー１１２、タッチパネル１１６、バックパネル４００からなる。これらは、図４に示すように、上（外部から視認される側）から、タッチパネル１１６、電子ペーパー１１２、ＬＣＤ１０８、バックパネル４００の順番で配置されるものとする。図４は、ディスプレイ３００の断面の一例を示す図である。なお、操作性の面から、タッチパネルは、最上面に設置されることが好ましいが、電子ペーパー１１２、ＬＣＤ１０８の順序は逆でもよい。そのような配置を図５に示す。
【００４０】
次に、ディスプレイ３００に表示される画面および画面の切替について、図６、図７を用いて、説明する。
【００４１】
本実施の形態に係る携帯電話機１００は、既に説明したように、複数の操作モードを有し、操作モード変更の指示に応じて、ディスプレイ３００の表示を書き換える。以下では、操作モードの例として、アプリケーション「電話」「メール」を挙げて説明する。また、操作モード変更の指示は、入力部２１０が、各アプリケーションの起動あるいは終了の指示を受付けたことに応じて、出力するものとする。ただし、操作モードとして、アプリケーション以外のものを用いてもよい。例えば、アプリケーション「メール」において平仮名入力、英字入力等の各種入力モードなどが存在する場合がある。このような場合に、それぞれの入力モードに対応させて操作モードが設定されていてもよい。
【００４２】
図６は、アプリケーション「電話」の動作時（以下、電話モードとよぶ）における、ディスプレイ３００の表示内容を示す図である。
【００４３】
ディスプレイ３００に含まれるＬＣＤ１０８は、例えば、図６に示すように、入力された電話番号を表示する。
【００４４】
ディスプレイ３００内の電子ペーパー１１２は、発信ボタン６０１、電話帳ボタン６０２を表示する。具体的には、アプリケーション「電話」の起動に応じて、ＣＰＵ１０２が、駆動ドライバ１１０を介して、電子ペーパー１１２に、これらの発信ボタン６０１、電話帳ボタン６０２を表示させる。
【００４５】
また、少なくともこれらのボタンが表示される領域を覆うようにタッチパネル１１６が構成されているものとする。発信ボタン６０１が表示されている部分に対応するタッチパネル１１６への入力がなされると、タッチパネルＩ／Ｆ１１４が信号をＣＰＵ１０２に送り、ＣＰＵ１０２は、入力された電話番号への電話発信を通信Ｉ／Ｆ１２１に行なわせる。また、電話帳ボタン６０２が表示されている部分に対応するタッチパネル１１６への入力がなされると、タッチパネルＩ／Ｆ１１４が信号をＣＰＵ１０２に送り、ＣＰＵ１０２は、ＲＯＭ１０６に記憶されている電話帳を読出し、読み出した電話帳をタッチパネルＩ／Ｆ１１４を介してＬＣＤ１０８に表示させる。
【００４６】
さて、アプリケーション「電話」の起動中に、ＣＰＵ１０２が、ユーザからのアプリケーション「メール」の起動の指示を受付けたとする。すると、ＣＰＵ１０２は、記憶部２４０から、アプリケーション「メール」の起動時の操作モード（以下、メールモードとする）に関連付けられた機能設定データ２４１を読出し、ユーザがタッチパネル１１６への入力を行なった時に、ＣＰＵ１０２が行なう処理を変更する。また、ディスプレイ３００の表示を、図６に示したような電話モードの表示から、図７に示すようなメールモードの表示に変化させる。
【００４７】
図７は、メールモードにおける、ディスプレイ３００の表示内容を示す図である。ディスプレイ３００には、メールの宛先、本文の他に、送信ボタン７０１、下書き保存ボタン７０２の表示がなされる。送信ボタン７０１、下書き保存ボタン７０２は、発信ボタン６０１、電話帳ボタン６０２と同様に、電子ペーパー１１２により表示される。
【００４８】
ユーザが発信ボタン６０１が表示されている部分に対応するタッチパネル１１６への入力を行なうと、タッチパネルＩ／Ｆ１１６が信号をＣＰＵ１０２に送り、ＣＰＵ１０２は、メールの送信を通信Ｉ／Ｆ１２１に行なわせる。また、下書き保存ボタン７０２が表示されている部分に対応するタッチパネル１１６への入力がユーザからなされると、タッチパネルＩ／Ｆ１１６が信号をＣＰＵ１０２に送り、ＣＰＵ１０２は、宛先、本文をＲＯＭ１０６に記憶する。
【００４９】
なお、電子ペーパー１１２の表示内容は上で説明したものに限られない。一般には、電子ペーパー１１２の表示内容は、各操作モードにおいて、電子ペーパーが表示するボタン部分にあるタッチパネル１１６が押された際に携帯電話器１００が行なうべき処理を利用者が識別できるようなキー表示になっていればよい。
【００５０】
また、ＬＣＤ１０８、電子ペーパー１１２、タッチパネル１１６の位置関係は、図６、図７に示したものに限られるわけではない。例えば、これらが、ディスプレイ３００の全面にわたって設置されていても構わない。
【００５１】
また、上では２つのボタンを表示する例を挙げたが、ボタンの数は１つあるいは３つ以上であってもよい。例えば、ＣＰＵ１０２は、電話モードでは、電子ペーパー１１２に数字キー“１”、“２”、…を表示させ、メールモードでは、電子ペーパー１１２に文字キー“Ａ”、“Ｂ”、…を表示させてもよい。
【００５２】
さらに、タッチパネル１１６の代わりに、ボタンを押すことで通電が起こり信号が出力される物理キーであっても構わない。この場合、キー表示をユーザが視認できるように、物理キーの上に、電子ペーパー１１２を配置するという構成になる。タッチパネル１１６を用いる場合であっても、物理キーを用いる場合であっても、キー表示を行なう電子ペーパー１１２は、電子ペーパー１１２の表示内容と対応する処理を指示するためのキー入力部と、近い位置に設置される。
【００５３】
電子ペーパーの表示作成にあたって本発明に係る携帯電話器１００が行なう処理の流れについて図８を用いて説明する。図８は、電子ペーパーの表示作成にあたって携帯情報機器１００が行なう処理の流れを示すフローチャートである。
【００５４】
まず、ＣＰＵ１０８は、ステップＳ１０２において操作モードの切替のための信号を受付ける。そして、ステップＳ１０４において、受付けた信号に応じて切替後の操作モードの機能設定データをＲＯＭ１０６から読み出す。
【００５５】
次に、ＣＰＵ１０８は、ステップＳ１０６において、ステップＳ１０４で読み出した機能設定データに基づき、タッチパネルを操作したときにＣＰＵ１０８が行なう処理についての設定を変更する。
【００５６】
ＣＰＵ１０８は、ステップＳ１０８において、ＲＯＭ１０６から、切替後の操作モードの電子ペーパー用データを読み出す。
【００５７】
そして、ＣＰＵ１０８は、ステップＳ１１０において、受付けた操作モードの切替指示に応じて、駆動ドライバ１１０を制御し、電子ペーパー１１２の表示を切替後の操作モードの電子ペーパー用データに対応する表示に書き換えて、書換処理を終了する。
【００５８】
なお、ステップＳ１０４からステップＳ１１０の処理の順番は、本フローチャートで示したものに限られない。機能設定データ読出（ステップＳ１０４）以降にタッチパネル機能変更（ステップＳ１０６）が行なわれ、電子ペーパー用データ読出（ステップＳ１０８）以降に電子ペーパー表示書換（ステップＳ１１０）が行なわれるならよい。
【００５９】
このように本発明に係る携帯電話器は、操作モードの切替に応じて変更されるものであって、変更が少ないキー表示を電子ペーパーに表示させる。また、キー表示に比べて変更の多い表示を、変更の多い表示に向くものの固定の表示を行なう際の消費電力が電子ペーパーに比べて多いＬＣＤに表示させる。従って、変更できるキー表示と、キー表示よりも変更頻度の高い表示との両方を、消費電力を抑えつつ、行なうことができる。
【００６０】
また、キー表示手段である電子ペーパーには、アプリケーションなどの操作モードに特化した表示がされるので、表示が見やすくなる。
【００６１】
（２．第２の実施の形態）
ここからは、本発明の第２の実施の形態について説明する。本実施の形態におけるキー入力装置は、工場等で用いられるハンディターミナルである。
【００６２】
まず、図９、図１０を参照して、本発明に係るハンディターミナル９００の構成について説明する。図９は、本発明に係るハンディターミナル９００の構成をブロック図形式で示す図である。また、図１０は、本発明に係るハンディターミナル９００の外観図である。第１の実施の形態と異なる点は、外部端子９１０を介して外部機器から送られる信号に応じて、電子ペーパー１１２の表示が書き換えられることである。
【００６３】
外部端子９１０は、電子ペーパー１１２の表示変更のための外部機器、例えば、工場内のコンピュータが接続されるものである。外部機器を接続した状態で、ハンディターミナル９００あるいは外部機器に電子ペーパー１１２の表示の書き換えのための指示をユーザが行なうと、外部機器は、ハンディターミナル９００に電気的信号を供給し、電子ペーパー１１２の表示を書き換える。
【００６４】
このように、外部機器によりキー表示を書き換えることができるハンディターミナル９００によれば、例えば、工場内の複数のライン毎に異なるキー表示を行なうハンディターミナルが必要な場合などでも、１種類のハンディターミナル９００を準備することで対応できる。また、キー表示を、電子ペーパー１１２で行なうので、電力消費を抑えることができる。
【００６５】
また、ハンディターミナルではなく、外部機器が、キー表示情報を格納する記憶部を有していてもよい。この構成によれば、ハンディターミナルの記憶容量を節約することができる。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６７】
【図１】本発明に係る携帯電話機１００の構成をブロック図形式で示す図である。
【図２】電子ペーパーの表示の書換えに関わる携帯電話機１００の機能ブロック図である。
【図３】本発明に係る携帯電話機１００の外観図である。
【図４】ディスプレイ３００の断面の一例を示す図である。
【図５】ディスプレイ３００の断面の他の例を示す図である。
【図６】電話モードにおける、ディスプレイ３００の表示内容を示す図である。
【図７】メールモードにおける、ディスプレイ３００の表示内容を示す図である。
【図８】電子ペーパーの表示作成にあたって携帯電話機が行なう処理の流れを示すフローチャートである。
【図９】本発明に係るハンディターミナル９００の構成をブロック図形式で示す図である。
【図１０】本発明に係るハンディターミナル９００の外観図である。
【符号の説明】
【００６８】
１００  携帯電話機、１０２  ＣＰＵ、１０４  ＲＡＭ、１０６  ＲＯＭ、１０８  ＬＣＤ、１０９  ＬＣＤコントローラ、１１０  駆動ドライバ、１１２  電子ペーパー、１１４  タッチパネルＩ／Ｆ、１１６  タッチパネル、１１８  キー入力部、１２０  入力Ｉ／Ｆ、１２１  通信Ｉ／Ｆ、１２２  アンテナ、２１０  入力部、２２０  入力受付部、２３０  書換部、２４０  記憶部、２４１  操作モードＩＤ、２４２  機能設定データ、２４４  電子ペーパー用データ、３００  ディスプレイ、４００  バックパネル、６０１  発信ボタン、６０２  電話帳、７０１  送信ボタン、７０２  下書き保存ボタン、９００  ハンディターミナル、９１０  外部端子。
【図１】
2009098795.tif 000003
【図２】
2009098795.tif 000004
【図３】
2009098795.tif 000005
【図４】
2009098795.tif 000006
【図５】
2009098795.tif 000007
【図６】
2009098795.tif 000008
【図７】
2009098795.tif 000009
【図８】
2009098795.tif 000010
【図９】
2009098795.tif 000011
【図１０】
2009098795.tif 000012